(57)【要約】【課題】再生処理の中断位置情報をユーザ情報と共にディスクに記録することで、ディスクによって、複数のユーザそれぞれの中断位置を管理できるディスク装置を提供する。【解決手段】ディスクにレーザ光を照射することで情報を記録し、又、レーザ光の反射光を読み取ってディスクに記録されている情報に応じた読取信号を出力する駆動部３５と、読取信号を再生する再生部６０と、ディスクに所定情報を記録する記録部３６と、駆動部を制御してディスクに記録されている情報の再生を中断した場合、ディスク中の中断位置情報をユーザ情報と共にディスクの所定領域に記録するべく記録部と駆動部を制御し、又、ディスクを再生するべく指示された場合、ディスクの所定領域の中断位置情報をユーザ情報と共に読み出し、与えられたユーザ情報に対応した中断位置情報を選択しこれが示す位置から再生するべく駆動部を制御する制御部３０とを有するディスク装置。【選択図】      図１
2005216377.tif 000002
【特許請求の範囲】
【請求項１】
ディスクにレーザ光を照射することで情報を記録し、又、前記レーザ光の反射光を読み取って前記ディスクに記録されている情報に応じた読取信号を出力する駆動部と、
前記駆動部からの前記読取信号を再生する再生部と、
前記駆動部が駆動する前記ディスクに所定情報を記録する記録部と、
前記駆動部を制御して前記ディスクに記録されている情報の再生を中断した場合、前記ディスク中の中断位置情報を、ユーザ情報と共に、前記ディスクの所定領域に記録するべく前記記録部と前記駆動部を制御し、前記ディスクを再生するべく指示された場合、前記ディスクの前記所定領域の前記中断位置情報を前記ユーザ情報と共に読み出し、与えられたユーザ情報に対応した中断位置情報を選択しこれが示す位置から再生するべく前記駆動部を制御する制御部とを有することを特徴とするディスク装置。
【請求項２】
前記制御部は、中断位置情報をディスクに記録しこの位置から再生を再開する制御を行うか否かを設定するモードを更に設けたことを特徴とする請求項１記載のディスク装置。
【請求項３】
前記制御部は、前記中断位置情報を前記ディスクの所要領域に記録する際に、それ以前の中断位置情報がその領域に存在する際にこれを削除して、最新の前記中断位置情報を記録することを特徴とする請求項１記載のディスク装置。
【請求項４】
前記制御部は、前記ディスクのプログラムチェーン情報を取得し、これに基づいて前記中断位置情報を含むユーザディファインドのプレイリストを生成して前記ディスクに記録することを特徴とする請求項１記載のディスク装置。
【請求項５】
前記制御部は、前記ディスクの管理情報であるＲＴＲ＿ＶＭＧ内のＰＬ＿ＳＲＰＴＩに生成したプレイリストの管理情報、ＰＬ＿ＳＲＰに前記ディスクの再生を行ったユーザ情報、ＵＤ＿ＰＧＣＩＴに前記中断位置情報を記録するべく制御することを特徴とする請求項１記載のディスク装置。
【請求項６】
前記制御部は、ＵＤ＿ＰＧＣＩＴ内のＭ＿Ｃ＿ＥＰＩに前記中断位置情報を記録するべく制御することを特徴とする請求項５記載のディスク装置。
【請求項７】
前記制御部は、前記ディスク内に前記中断位置情報を記録する際に、第１のユーザの中断位置情報として記録するかどうかを尋ねる画面を表示させるための信号を生成し、これに応じた操作信号に応じてユーザ情報を決定して、決定したユーザ情報を前記中断位置情報と共に前記ディスク内に記録することを特徴とする請求項１記載のディスク装置。
【請求項８】
前記制御部は、前記ディスク内に記録された前記中断位置情報に基づいて前記ディスクの再生を再開する際に、前記中断位置情報である時刻情報と、時刻情報と位置情報との対応情報とを用いて、再開するべき前記ディスクの位置情報を決定し、決定した位置情報により前記ディスクの再生を再開するべく制御することを特徴とする請求項１記載のディスク装置。
【請求項９】
前記制御部は、与えられたディスクに記録された前記ユーザ情報と前記中断位置情報とを読み出し、前記ユーザ情報が複数のユーザ情報を示している場合、画面上に複数のユーザ情報を表示しこの内の一つのユーザを指定するべく促す画面を表示するための信号を生成することを特徴とする請求項１記載のディスク装置。
【請求項１０】
ディスクに記録されている情報の再生を中断した場合、前記ディスク中の中断位置情報を、ユーザ情報と共に前記ディスクの所定領域に記録し、前記ディスクを再び再生するべく指示された場合、前記ディスクの前記所定領域の中断位置情報を前記ユーザ情報と共に読み出し、与えられたユーザ情報に対応した中断位置情報を選択してこれが示す位置から再生を再開することを特徴とするディスク処理方法。
【請求項１１】
上述した中断位置情報をディスクに記録しこの位置から再生を再開する制御を行うか否かを設定するモードを更に設けたことを特徴とする請求項１０記載のディスク処理方法。
【発明の詳細な説明】
【技術分野】
【０００１】
本発明は、ディスク装置に関し、特に再生処理を中断した場合の中断位置情報をディスク内に記録するディスク装置及びディスク処理方法に関する。
【背景技術】
【０００２】
最近、デジタル記録媒体としてＤＶＤ（Digital Versatile Disc）等のディスクが普及してきており、これらを再生するディスク装置においても、高い信頼性や利便性が望まれている。現在、ＤＶＤプレーヤ、レコーダ等のディスク装置の多数に搭載されている機能のひとつに、ディスクメモリー機能がある。この機能は、プレーヤに充填されたディスクを再生中に停止させディスクをどこまで再生していたかを記憶し、２次電源オフや他のメディアを再生した後に視聴完了したシーンから再生を再開させるものである。これにより、ユーザは例えば映画の視聴に際して、既に視聴した部分を飛ばして中断した個所から視聴することができる。
【０００３】
特許文献１には、このようなディスクメモリー機能の中断位置情報をプレーヤ本体のメモリに記憶させるのではなく、ディスクに直接記録するものである。これにより、例えば、ユーザが１階のリビングのディスクプレーヤで視聴した映画の続きを、２階の自分の部屋のディスクプレーヤで中断個所から自動的に再開することが可能となる。
【特許文献１】特開２００２−１４２１９５号公報。
【発明の開示】
【発明が解決しようとする課題】
【０００４】
しかしながら、特許文献１の従来技術のディスク装置においては、１つのディスクのコンテンツについて、例えば、ユーザＡ（例えば、父）とユーザＢ（息子）の複数のユーザが再生してこれを中断した場合、ユーザＢ（息子）が中断したディスクを再び再生しようとしたところ、ユーザＢ（息子）の中断個所から始まらずに、直前のユーザＡ（父）の中断個所から再生が始まるような不具合が生じる。従って、複数のユーザ毎にディスクの中断個所の管理を行うことができないという問題がある。
【０００５】
本発明は、ユーザ毎の中断位置情報をディスクに記録することで、複数のユーザ毎にディスクにより中断位置情報を管理することができるディスク装置及びディスク処理方法を提供することを目的とする。
【課題を解決するための手段】
【０００６】
本発明は上記課題を解決するために、ディスクにレーザ光を照射することで情報を記録し、又、前記レーザ光の反射光を読み取って前記ディスクに記録されている情報に応じた読取信号を出力する駆動部と、前記駆動部からの前記読取信号を再生する再生部と、前記駆動部が駆動する前記ディスクに所定情報を記録する記録部と、前記駆動部を制御して前記ディスクに記録されている情報の再生を中断した場合、前記ディスク中の中断位置情報を、ユーザ情報と共に、前記ディスクの所定領域に記録するべく前記記録部と前記駆動部を制御し、前記ディスクを再生するべく指示された場合、前記ディスクの前記所定領域の前記中断位置情報を前記ユーザ情報と共に読み出し、与えられたユーザ情報に対応した中断位置情報を選択しこれが示す位置から再生するべく前記駆動部を制御する制御部とを有することを特徴とするディスク装置である。
【発明の効果】
【０００７】
本発明は上述したように、ディスクの再生の中断位置情報を、再生の中断を行ったユーザのユーザ情報と共に、ディスクの所定領域に記録するものである。これにより、例えば、ユーザＡ氏はコンテンツ再生の中断時に例えば第１ユーザとして中断位置情報を記録し、その後、ユーザＢ氏は中断時に例えば第２ユーザとして中断位置情報をディスクに自動的に記録する。そして、ユーザＢ氏が同一ディスクを再生する際は、複数のユーザ情報とこれに応じた中断位置情報が画面上に表示されると、ユーザＢ氏のコントローラ等の操作により第２ユーザを選択することで、自分が中断した中断位置が呼び出され、自分が中断した中断位置からのコンテンツの再生が可能となる。同様に、ユーザＡ氏も自分のユーザ情報を選択することで自分が中断した中断位置からのコンテンツの再生が可能となる。
【０００８】
なお、第１ユーザだけは自動的に登録され、再生処理の再開の際にも自動的に選択されることにしてもよい。すなわち、再生の中断の際は、再生中断後に“第１ユーザとして再生を中断しますが、他のユーザとして中断位置を記録する場合は、ユーザ番号を指定して下さい”等の表示を行い、例えば１５秒を経過すると、第１ユーザとして中断位置を記録し、第２ユーザ等が指定されれば、第２ユーザ等として中断位置を記録する等の処理を行う。同様に、再生の再開の際には、再生再開前に“第１ユーザとして再生を再開しますが、他のユーザとして中断位置を再開する場合は、ユーザ番号を指定して下さい”等の表示を行い、例えば１５秒を経過すると、第１ユーザの中断位置から再開し、第２ユーザ等が指定されれば、第２ユーザ等の中断位置から再生を再開する等の処理を行う。このようにすることで、頻繁に使用するユーザにとって、ユーザ名の指定の煩わしさを回避することができる。このように、本発明に係るディスク装置によれば、ユーザ毎のコンテンツの中断位置からの再生処理の再開が可能となるものである。
【発明を実施するための最良の形態】
【０００９】
以下、この発明の実施の形態について図面を参照して詳細に説明する。
【００１０】
＜本発明に係るディスク装置＞
図１は、本発明に係るディスク装置の構成の一例を示すブロック図である。このディスク装置は、一例として、ハーディスクドライブ（ＨＤＤ）２０と、ビデオファイルを構築できる情報記憶媒体である光ディスク１０を回転駆動し、この光ディスク１０に対して情報の読み書きを実行するディスクドライブ３５と、録画側を構成するエンコーダ部５０と、再生側を構成するデコーダ部６０と、装置本体の動作を制御するマイクロコンピュータブロック３０とを主たる構成要素としている。
【００１１】
ここで、エンコーダ部５０は、ＡＤＣ（アナログデジタルコンバータ）５２と、Ｖ(ビデオ)エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００１２】
ＡＤＣ５２には、ＡＶ入力部４２からの外部アナログビデオ信号＋外部アナログオーディオ信号、あるいはＴＶ（テレビジョン）チューナ４４からのアナログＴＶ信号＋アナログ音声信号が入力される。
【００１３】
データプロセッサ３６は、マイクロコンピュータブロック３０の制御に従って、エンコーダ部５０から出力されたＤＶＤ記録データをディスクドライブ３５に供給したり、光ディスク１０から再生したＤＶＤ再生信号をディスクドライブ３５から取り込んだり、光ディスク１０に記録された管理情報を書き替えたり、光ディスク１０に記録されたデータの削除をしたりする。
【００１４】
マイクロコンピュータブロック３０は、ＭＰＵ（マイクロプロセシングユニット）と、制御プログラム等が書き込まれたＲＯＭと、プログラム実行に必要なワークエリアを提供するためのＲＡＭとを含んでいる。
【００１５】
マイクロコンピュータブロック３０のＭＰＵは、そのＲＯＭに格納された制御プログラムに従い、ＲＡＭをワークエリアとして用いて、編集、欠陥場所検出、未記録領域検出、録画情報記録位置設定、ＵＤＦ記録、ＡＶアドレス設定等を実行する。又、マイクロコンピュータブロック３０は、そのＲＯＭに格納された制御プログラムに従い、後述する本発明に係る中断位置情報の管理を行うユーザ毎再生位置管理部を含んでいる。
【００１６】
デコーダ部６０は、パック構造を持つ映像情報から各パックを分離して取り出すセパレータ６２と、パック分離やその他の信号処理実行時に使用するメモリ６３と、セパレータ６２で分離された主映像データをデコードするＶデコーダと、セパレータ６２で分離された副映像データをデコードするＳＰデコーダと、セパレータ６２で分離されたオーディオデータをデコードするＡデコーダによるデコーダ群６４と、Ｖデコーダから得られる主映像データにＳＰデコーダから得られる副映像データを適宜合成し、主映像にメニュー、字幕その他の副映像を重ねて出力するビデオプロセッサ６６を備えている。
【００１７】
Ａデコーダの出力をデジタル出力する場合は、インターフェース（Ｉ／Ｆ）７５を介して外部へ出力され、アナログ出力する場合は、セレクタ７６を介してＤＡＣ７７でアナログ変換され外部に出力される。セレクタ７６は、マイクロコンピュータブロック３０からのセレクト信号により、ＴＶチューナ４４やＡ／Ｖ入力部４２からＡＤＣ５２を介して入力される信号とデコーダ群６４から入力される信号の一方を選択して出力する。アナログオーディオ信号は、図示しない外部コンポーネント（２チャンネル〜６チャンネルのマルチチャンネルステレオ装置）に供給される。
【００１８】
キー入力部１１は再生（ＰＬＡＹ）、停止（ＳＴＯＰ）、録画（ＲＥＣ）、スキップ（Ｓｋｉｐ）、早送り（ＦＦ）、逆送り（Ｒｅｗ）、スロー（Ｓｌｏｗ）エンターキー等のボタンを有し、このボタンを押下することによりユーザは本ディスク装置を操作し、ＨＤＤ２０又は書き換え可能光ディスク１０に対して録画、再生及び録画された映像データを編集することができる。
【００１９】
＜本発明に係るディスク装置が扱うディスクのディレクトリ構造＞
次に、上述したような本発明に係るディスク装置が扱うディスクのディレクトリ構造について、以下に図面を用いて詳細に説明する。図２は、図１に示したディスク装置に適用されるＤＶＤディスクの一例として、リアルタイムレコーディングＤＶＤ−ＶＲ規格のビデオ及びオーディオファイルのデイレクトリ、ファイル構造について示している。同様に、図３は、ＲＴＲ＿ＶＭＧのフィールド構成を示す図、図４は、ＲＴＲ＿ＶＭＧのＰＬ＿ＳＲＰＴＩのフィールド構成を示す図、図５は、ＲＴＲ＿ＶＭＧのＰＬ＿ＳＲＰのフィールド構成を示す図、図６は、ＲＴＲ＿ＶＭＧのＴＭＡＰＩのフィールド構成を示す図、図７は、ＲＴＲ＿ＶＭＧのＯＲＧ＿ＰＧＣＩのフィールド構成を示す図、図８は、ＲＴＲ＿ＶＭＧのＵＤ＿ＰＧＣＩＴのフィールド構成を示す図、図９は、ＲＴＲ＿ＶＭＧのＵＤ＿ＰＧＣＩＴＩのフィールド構成を示す図、図１０は、ＲＴＲ＿ＶＭＧのＵＤ＿ＰＧＶＩのフィールド構成を示す図、図１１は、ＲＴＲ＿ＶＭＧのＣＩのフィールド構成を示す図、図１２は、ＲＴＲ＿ＶＭＧのＭ＿ＣＩのフィールド構成を示す図である。
【００２０】
（ＤＶＤ−ＲＴＡＶ）
ＤＶＤでは、規格毎にディレクトリが存在し、これらのディレクトリ名を、ＤＶＤ−ＶＲでは、「ＤＶＤ＿ＲＴＡＶ」、ＤＶＤ−オーディオでは、「ＡＵＤＩＯ＿ＴＳ」、ＤＶＤ−ビデオでは、「ＶＩＤＥＯ＿ＴＳ」としている。図２は「ＤＶＤ＿ＲＴＡＶ」を示す。記録データは、各ディレクトリ内に存在する。又、ＤＶＤでは、通常のファイル形式でデータが保存される。タイトルは、例えば映画の1本分に相当し、１枚のディスクにこのタイトルが複数記録可能である。
【００２１】
ディレクトリ「ＤＶＤ＿ＲＴＡＶ」内には、ビデオマネジャ（ＶＭＧ）ファイルとしてのＶＲ＿ＭＡＮＧＲ．ＩＦＯ、ムービービデオファイルとしてのＶＲ＿ＭＯＶＩＥ．ＶＲＯ、スチルピクチャビデオファイルとしてのＶＲ＿ＳＴＩＬＬ．ＶＲＯ、スチルピクチャオーディオファイルとしてのＶＲ＿ＡＵＤＩＯ．ＶＲＯ、ビデオマネジャのバックアップとしてのＶＲ＿ＭＡＮＧＲ．ＢＵＰの各ファイルが存在する。
【００２２】
ＶＲ＿ＭＡＮＧＲ．ＩＦＯファイルには、ナビゲーションデータが記録されるもので、このナビゲーションデータは、プログラムセット、プログラム、エントリーポイント、プレイリストなどを進行させるためのデータである。
【００２３】
ＶＲ＿ＭＯＶＩＥ．ＶＲＯファイルは、ムービービデオオブジェクト（ムービーＶＯＢ）を記録するためのいわゆるムービーＡＶファイルである。
【００２４】
ＶＲ＿ＳＴＩＬＬ．ＶＲＯは、スチルピクチャＶＯＢを記録するためのスチルピクチャＡＶファイルである。このＶＲ＿ＳＴＩＬＬ．ＶＲＯは、任意のサブピクチャユニットを含むビデオパートで構成されるオリジナルＶＯＢを記録するために用いられる。又このとき、ビデオパートに関連したオーディオパートもオリジナルＶＯＢに含まる。
【００２５】
ＶＲ＿ＡＵＤＩＯ．ＶＲＯは、スチルピクチャに対する付加オーディオストリームを記録するためのスチルピクチャ付加オーディオファイルである。この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。
【００２６】
（ＲＴＲ＿ＶＭＧ）
図３は、（ａ）において、ＲＴＲ＿ＶＭＧ（リライタブルレコーダブルディスクのビデオマネージャ）のフィールド構造を示しており、特に、後述するＴＭＡＰＩ（タイムマップインフォメーション）の位置を示している。又、図３の（ｂ）は、ＲＴＲ＿ＶＭＧＩ（リアルタイムレコーディングビデオマネージャ情報）のフィールド構造を示しており、図３の（ｃ）は、ＰＬ＿ＳＲＰＴ（プレイリストサーチポインターテーブル）のフィールド構造を示している。
【００２７】
ＶＲ＿ＭＡＮＧＲ．ＩＦＯ内には、図３に示すようにＭ＿ＡＶＦＩ(ムービーＡＶファイルインフォメーション)と呼ばれる情報が記録されており、そのなかにはＭ＿ＶＯＢＩ(ムービーＶＯＢインフォメーション)と呼ばれるデータが書かれておりこの中にＶＯＢ内の映像を最初に表示する時間や最終表示時間等が記録されており、ＴＭＡＰＩ（タイムマップインフォメーション）も記録されている。ＴＭＡＰＩには図６のような情報が書かれており、対象ＶＯＢＵのプレゼンテーションタイムやＶＯＢファイルの先頭からのオフセットアドレスなどが記録されている。このようにＶＲ＿ＭＡＮＧＲ．ＩＦＯには、再生に必要なデータが記録されており、管理情報と呼ばれる。
【００２８】
（ＰＬ＿ＳＲＰＴＩ、ＰＬ＿ＳＲＰ）
図４は、ＰＬ＿ＳＲＰＴＩ（プレイリストサーチポインターテーブル情報）の内容を示す表を示しており、特に、本発明に係る中断位置管理処理で用いられるＰＬ＿ＳＲＰ＿Ｎｓ（プレイリストサーチポインター数）は、いくつのプレイリストが存在するかを示しており、この値が“０”なら、ＵＤ＿ＰＧＣ（ユーザディファインドプログラムチェーン）は存在しない。
【００２９】
又、図５は、ＰＬ＿ＳＲＰ（プレイリストサーチポインター）の内容を示す表を示している。ここで、ＰＬ＿ＳＲＰにはプレイリストタイプ、プログラムチェーン番号、プレイリスト作成時間、主テキスト情報、このアイテムテキストのサーチポインタ番号、代表画像情報が示されており、特に、本発明に係る中断位置管理処理で用いられ、る主テキスト情報には、ユーザ情報が書き込まれる。
【００３０】
（ＴＭＡＰＩ）
図６は、ＲＴＲ＿ＶＭＧに含まれるＴＭＡＰＩ（タイムマップ情報）を示しており、そのＲＴＲ＿ＶＭＧにおける位置は図３の（ａ）で特定されている。このＴＭＡＰＩは、本発明に係る中断位置管理処理で用いられ、時間情報で記載された中断位置情報をディスクの記憶領域のアドレス情報に変換する際に用いられる。
【００３１】
（各ＰＧＣＩ）
図７は、ＯＲＧ＿ＰＧＣＩ（オリジナルのプログラムチェーン情報）を示しており、図８は、ＰＧＣＩＴＩ（プログラムチェーン情報のテーブル情報）を示しており、図９は、ＵＤ＿ＰＧＣＩＴＩ（ユーザディファインドのプログラムチェーン情報のテーブル情報）を示している。又、図１０は、ＵＤ＿ＰＧＣＩＴＩ（ユーザディファインドのプログラムチェーン情報のテーブル情報）の内容を示す表を示している。
【００３２】
（ＣＩ）
図１１の（ａ）は、ＯＲＧ＿ＰＧＣＩ（オリジナルプログラムチェーン情報）のＣＩ（セル情報）のディレクトリ構成を、（ｂ）は、Ｍ＿ＣＩ（ムービのセル情報）のフィールド構成を示している。更に、図１２の（ａ）がＭ＿Ｃ＿ＧＩ（ムービセルマネージャ情報）を、（ｂ）がＭ＿Ｃ＿ＥＰＩ（ムービーセルエントリポイント情報）を示している。このＭ＿Ｃ＿ＧＩのＣ＿ＥＰＩ＿Ｎｓは、エントリポイントの数を示すものであり、又、Ｍ＿Ｃ＿ＥＰＩのＥＰ＿ＰＴＭは、エントリポイントの時刻情報を格納するものであり、それぞれ、本発明に係る中断位置管理処理で用いられる。
【００３３】
＜本発明に係るディスク装置の再生の中断位置情報の管理方法＞
次に本発明に係るディスク装置の再生の中断位置情報の管理方法の一例について、フローチャートを用いて、以下に詳細に説明する。図１３は、本発明に係るディスク装置の記録処理の一例を示すフローチャート、図１４は、本発明に係るディスク装置の再生処理の一例を示すフローチャート、図１５は、本発明に係るディスク装置の中断位置情報を記録する際の指示画面の一例を示す図、図１６は、本発明に係るディスク装置の中断位置情報を用いて再生を再開する際の指示画面の一例を示す図である。
【００３４】
ここでは、ディスク装置において、ＭＰＥＧプログラムストリームを利用する映像・音声記録フォーマットとして、リアルタイムでの情報記録再生が可能なシステムを実現するＤＶＤビデオ規格、つまりＤＶＤ−Video Recording (ＤＶＤ−ＶＲ)規格（以下ＶＲフォーマットと略す）を用いて実施形態を説明する。
【００３５】
本発明に係るディスク装置の再生の中断位置情報の管理は、中断位置情報の記録処理と、記録された中断位置情報を用いた再生処理とにより実現するものである。すなわち、通常、あまり使用されないＵＤ＿ＰＧＣＩ（ユーザディファインドのプログラムチェーン情報）を再生の中断毎にディスク装置において自動的に生成して、ユーザ毎のユーザ情報と停止位置情報とを含んだＵＤ＿ＰＧＣＩとしてディスクに記録させ、再生の際には再びこれを読み出してユーザ毎の再生位置を確保するものである。
【００３６】
（記録処理）
初めに、本発明に係るディスク装置の再生の中断位置情報の記録処理を説明する。以下の記録処理は、一例として、マイクロコンピュータブロック３０のユーザ毎再生位置管理部の機能として、マイクロコンピュータブロック３０の図示しないＲＯＭ等の記憶部に格納されたプログラムとして実現するものである。図１３のフローチャートに示すように、ディスク装置のディスク１０の再生中において、ユーザ等の操作等からの停止要求があるかが問われる（Ｓ１１）。もし、停止要求があれば、再生を中断し、停止の際の時間情報をＳＴＣ（System Time Clock）３８から取得する（Ｓ１２）。そして、再生中のＰＧＣＩが一時記憶部３７に保持されていることを確認し（Ｓ１３）、なければディスク１０からＰＧＣＩを取得する（Ｓ１４）。
【００３７】
次に、ディスク１０からＲＴＲ＿ＶＭＧＩを取得し、ＰＬ＿ＳＲＰＴＩ（図３参照）のＰＬ＿ＳＲＰ＿Ｎｓ（図４参照）を１だけカウントアップする（Ｓ１５）。次に、取得したＰＧＣＩからＵＤ＿ＰＧＣＩ（ユーザディファインドのプログラムチェーン情報）（図８参照）を生成する（Ｓ１６）。
【００３８】
次に、生成したＵＤ＿ＰＧＣＩ（図８参照）内のＣ＿ＥＰＩ＿Ｎｓ（図１１及び図１２（ａ）参照）をｍとする（Ｓ１７）。ここで、取得した時刻以前に、エントリーポイントがあるかを確認する（Ｓ１８）。ここで、先の現在の時刻以前のエントリポイントがあればこれを削除する（Ｓ１９）。その後、Ｃ＿ＥＰＩ＿Ｎｓをｍ−ｎ＋１に変更する（Ｓ２０）。すなわち、削除したエントリポイントの数を減らし、記録する中断位置情報としてのエントリポイントの数を１つ加える。ここで、ｎは、先のエントリポイントの数を意味している。又、先のエントリポイントがなければ、単にＣ＿ＥＰＩ＿Ｎｓを１だけカウントアップする（Ｓ２１）。これにより、それ以前の中断位置情報が記憶領域に存在する際にこれを削除して、最新の中断位置情報に更新記録することができる。
【００３９】
又、ここで、必ずしも先のエントリポイントを削除させないモードを設けることも好適である。このモードを設けて先のエントリポイントを履歴として保存しておくことで、後にどのようにディスクを再生したかを確認することが可能となる。これは、エントリポイントを登録の際に、「停止したこの時間のみをエントリーポイントとして登録しますか？登録すると今まで登録されていたエントリーポイントは削除されます。削除する（Ａ）、削除しない（Ｂ）」等の操作画面を表示して、登録の度に問い合わせることも好適である。
【００４０】
次に、ＵＤ＿ＰＧＣＩ（図８参照）内のＭ＿Ｃ＿ＥＰＩ（図１１（ｂ）参照）に、ＳＴＣ（System Time Clock）３８から取得した停止時刻を、ＥＰ＿ＰＴＭ（図１２（ｂ）参照）として記録する（Ｓ２２）。
【００４１】
次に、先に取得したＲＴＲ＿ＶＭＧＩ（図３参照）に、ＰＬ＿ＳＲＰ（図５参照）を生成する（Ｓ２３）。そして、ユーザＡのユーザ情報をＰＬ＿ＳＲＰのＰＲＭ＿ＴＸＴＩ（プライマリテキスト情報）（図５参照）として記録する（Ｓ２４）。
【００４２】
ここでディスク装置は、ユーザ情報として、例えば、デフォルト値であるユーザＡを記録することを前提に、図１５のような操作画面を表示部４８に表示するべく画像信号を表示部４８に出力する。又は、ディスク装置に接続されたディスプレイ画面に図１５のような操作画面Ｄ１が表示するべく、図示しない重畳回路をデコーダ部６０の出力に接続して設けることも好適である。ユーザは、再生を中断した操作の後に、図１５の操作画面Ｄ１をディスプレイ画面又は表示部４８にて見ることになる。ここで、操作画面Ｄ１は、『ユーザＡとして中断位置を記録しますか？』と尋ねており、タイマ表示部１０１により時間の経過（例えば１５秒等）が表示され、一定時間、なんらの操作もなければ、ユーザは、ユーザＡとして、中断位置情報を記録されることを望んでいると判断して、ユーザＡが確定する（Ｓ２８）。
【００４３】
ここで、ユーザがキー入力部１１等で例えば、ユーザＢを希望することを意味するアイコン１０２等を指定すれば、ユーザＡとすると表示して拒否されたことになり（Ｓ２５）、指定に応じて他のユーザ情報（例えば、ユーザＢ）と認識して（Ｓ２６）、指示されたユーザ情報をＰＬ＿ＳＲＰに更新する（Ｓ２７）。このようにして、決定されたユーザ情報と中断位置情報とが書き込まれたＵＤ−ＰＧＣＩがディスクに書き込まれる（Ｓ２９）。この際、プレイリスト、ＰＧＣＩを作成しているのでＲＴＲ＿ＶＭＧＩ内のＶＭＧ＿ＭＡＴ内にある各フィールドのＳＡ（スタートアドレス）（Ｍ＿ＡＶＦＩＴ、Ｓ＿ＡＶＦＩＴ、ＯＲＧ＿ＰＣＧＩ、ＵＤ＿ＰＧＣＩＴ、ＴＸＴＤＴ＿ＭＧ、ＭＮＦＩＴ）ＥＡ（エンドアドレス）（ＲＴＲ＿ＶＭＧ、ＲＴＲ＿ＶＭＧＩ）を必要に応じて更新し、ディスクに書き込む。
【００４４】
（再生処理）
次に、このようにして記録した中断位置情報を用いて、ディスクの再生を再開する場合の再生処理についてフローチャートを用いて詳細に説明する。以下の再生処理は、一例として、マイクロコンピュータブロック３０のユーザ毎再生位置管理部の機能として、マイクロコンピュータブロック３０の図示しないＲＯＭ等の記憶部に格納されたプログラムとして実現するものである。図１４のフローチャートにおいて、ディスクが装着され再生が指示されると（Ｓ３１）、ディスクからＶＲ＿ＭＡＮＧＲ．ＩＦＯ（図２及び図３参照）を取得する（Ｓ３２）。そして、ＰＬ＿ＳＲＰＴＩのＰＬ＿ＳＲＰ＿Ｎｓ＝０（図３及び図４参照）であるかが問われる（Ｓ３３）。そうなら、中断位置情報が存在しないとして、通常どおり、ディスクを記憶領域の先頭から再生する（Ｓ４０）。
【００４５】
ここで、ＰＬ＿ＳＲＰＴＩのＰＬ＿ＳＲＰ＿Ｎｓ＝０でないとき、ＰＬ＿ＳＲＰＴＩのＰＬ＿ＳＲＰ＿Ｎｓ＝１かが問われ（Ｓ３４）、１でないとなると、２以上ということになり、複数のユーザが存在することとなるため、図１６に示す操作画面のように複数のユーザ名を表示してユーザの選択を促す（Ｓ３５）。なお、ここで１であれば、選択画面は存在しないため、ステップＳ３６からの処理がおこなわれる。
【００４６】
図１６の操作画面Ｄ２は、図１５の操作画面と同様に、接続される図示しない外部のディスプレイの画面又は表示部４８の画面として表示される。操作画面Ｄ２では、タイマ表示部１０３と共に、「ユーザＡとして中断位置から再生しますか？」と尋ね、タイマ表示部１０３により時間の経過（例えば１５秒等）の範囲で何も操作しなければ、例えば、デフォルトであるユーザＡが確定する。操作画面Ｄ２では、全てのユーザ名１０４と共にこれに対応する時刻情報１０５が同時に表示される。タイマ表示部１０３の時間が経過する前に、例えば、ユーザＣのアイコン１０４がキー入力部１１で操作されれば、ユーザＣが選択されたこととなる。
【００４７】
次に、選択されたユーザ名のプレイリストのＵＤ＿ＰＧＣＩ（図８参照）が取得される（Ｓ３６）。そして、ＰＧＣＩ内のＭ＿Ｃ＿ＥＰＩ（図１１及び図１２(ｂ)）に記憶された最も若い時間が取得される（Ｓ３７）。次に、時刻とアドレスとの対応情報であるＴＭＡＰＩ（図６参照）を用いて、時刻からディスク中のアドレスとして再生開始位置を認識する（Ｓ３８）。そして、マイクロコンピュータブロック３０の制御によって、取得した再生開始位置からディスクドライブ３５及びデータプロセッサ３６、デコーダ６０を制御することで、再生を開始する（Ｓ３９）。
【００４８】
このようにして、複数のユーザ（例えば、父と息子）は、混乱することなく、自分が各々ディスクの再生を停止した個所から、再び、再生を再開することができる。又、中断位置情報はディスクに記録されるため、例えば、１階のＤＶＤプレーヤで再生を中断して、２階の自室のＤＶＤプレーヤで再生を再開することも可能となる。
【００４９】
なお、記録時及び再生時のユーザの特定の仕方として、図１５及び図１６の操作画面を用いて、タイマ表示部１０１，１０３の時間経過を利用して行っているが、本発明は必ずしもこの方法によるものではない。例えば、再生の開始の際に光ディスク装置でユーザ名を選択させることで認識させるという方法によっても、同様に実施が可能となり、又、他の方法によっても、同様にユーザ毎の再生の中断位置の管理が可能となることは言うまでもない。
【００５０】
又、上述した中断位置情報をディスクに記録しこの位置から再生を再開する中断位置情報を管理する処理を行うか否かを設定するモードをマイクロコンピュータブロック３０にて更に設け、これをユーザが任意に選択できるようにすることも好適である。
【００５１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５２】
【図１】本発明に係るディスク装置の構成の一例を示すブロック図。
【図２】本発明に係るディスク装置が扱うディスクのファイル構成を示す図。
【図３】本発明に係るディスク装置が扱うディスクのＲＴＲ＿ＶＭＧのフィールド構成を示す図。
【図４】本発明に係るディスク装置が扱うディスクのＲＴＲ＿ＶＭＧのＰＬ＿ＳＲＰＴＩのフィールド構成を示す図。
【図５】本発明に係るディスク装置が扱うディスクのＲＴＲ＿ＶＭＧのＰＬ＿ＳＲＰのフィールド構成を示す図。
【図６】本発明に係るディスク装置が扱うディスクのＲＴＲ＿ＶＭＧのＴＭＡＰＩのフィールド構成を示す図。
【図７】本発明に係るディスク装置が扱うディスクのＲＴＲ＿ＶＭＧのＯＲＧ＿ＰＧＣＩのフィールド構成を示す図。
【図８】本発明に係るディスク装置が扱うディスクのＲＴＲ＿ＶＭＧのＵＤ＿ＰＧＣＩＴのフィールド構成を示す図。
【図９】本発明に係るディスク装置が扱うディスクのＲＴＲ＿ＶＭＧのＵＤ＿ＰＧＣＩＴＩのフィールド構成を示す図。
【図１０】本発明に係るディスク装置が扱うディスクのＲＴＲ＿ＶＭＧのＵＤ＿ＰＧＶＩのフィールド構成を示す図。
【図１１】本発明に係るディスク装置が扱うディスクのＲＴＲ＿ＶＭＧのＣＩのフィールド構成を示す図。
【図１２】本発明に係るディスク装置が扱うディスクのＲＴＲ＿ＶＭＧのＭ＿ＣＩのフィールド構成を示す図。
【図１３】本発明に係るディスク装置の記録処理の一例を示すフローチャート。
【図１４】本発明に係るディスク装置の再生処理の一例を示すフローチャート。
【図１５】本発明に係るディスク装置の中断位置情報を記録する際の指示画面の一例を示す図。
【図１６】本発明に係るディスク装置の中断位置情報を用いて再生を再開する際の指示画面の一例を示す図。
【符号の説明】
【００５３】
１０…ディスク、３０…マイクロコンピュータブロック（ユーザ毎再生位置管理部）、３５…ディスクドライブ、４８…表示部、５０…エンコーダ部、６０…デコーダ部。
【図１】
2005216377.tif 000003
【図２】
2005216377.tif 000004
【図３】
2005216377.tif 000005
【図４】
2005216377.tif 000006
【図５】
2005216377.tif 000007
【図６】
2005216377.tif 000008
【図７】
2005216377.tif 000009
【図８】
2005216377.tif 000010
【図９】
2005216377.tif 000011
【図１０】
2005216377.tif 000012
【図１１】
2005216377.tif 000013
【図１２】
2005216377.tif 000014
【図１３】
2005216377.tif 000015
【図１４】
2005216377.tif 000016
【図１５】
2005216377.tif 000017
【図１６】
2005216377.tif 000018